(57)【要約】【課題】  ノーズパッドの取付け位置、間隔、角度等が調整可能なノーズパッド組立て体及びメガネフレームを提供する。【解決手段】  メガネフレーム２０のフロント部２６に取り付けられるノーズパッド組立て体１であって、支持台２と、支持台２に一体に設けられる弾性変形可能な線材１１からなるパッド足１０と、パッド足１０の先端部に取り付けられるノーズパッド１５とを備える。支持台２の第１頂部４を接合手段３０によってフロント部２６の裏面側に一体に接合することにより、ノーズパッド組立て体１をフロント部２６に一体に取り付けることができる。パッド足１０を屈曲させて所定の形状に変形させることにより、ノーズパッド１５の位置、間隔、角度等を調整することができ、鼻の形状、大きさ、位置等の異なる多くの人々に対応させることが可能となり、多くの人々に良好な装着感を提供することができる。【選択図】        図１
2006113252.tif 000002
【特許請求の範囲】
【請求項１】
メガネフレームのフロント部に取り付けられるノーズパッド組立て体であって、支持台と、該支持台に一体に設けられる弾性変形可能な素材からなるパッド足と、該パッド足の先端部に取り付けられるノーズパッドとを備え、前記支持台の一部を前記フロント部の裏面側に接合手段によって一体に接合するように構成したことを特徴とするノーズパッド組立て体。
【請求項２】
前記パッド足は、弾性変形可能な金属からなるものであって、一部が前記支持台に一体に連結された状態で前記支持台から一対引き出され、引き出された部分の先端部に前記ノーズパッドが取り付けられるように構成されていることを特徴とする請求項１に記載のノーズパッド組立て体。
【請求項３】
前記接合手段は、接着剤、熱融着、溶接であることを特徴とする請求項１又は２に記載のノーズパッド組立て体。
【請求項４】
請求項１〜３の何れかに記載のノーズパッド組立て体をフロント部の裏面側に一体に接合してなることを特徴とするメガネフレーム。
【発明の詳細な説明】
【技術分野】
【０００１】
本発明は、ノーズパッド組立て体及びメガネフレームに関し、特に、ノーズパッドの取付け位置、間隔、取付け角度の設定、微調整が可能なノーズパッド組立て体及びメガネフレームに関する。
【背景技術】
【０００２】
メガネフレームの一例として、レンズを保持する一対のリムと、両リムの内縁部間を連結するブリッジと、各リムの外縁部に連結されるヨロイと、各鎧に蝶番を介して回動自在に連結されるテンプルとを備えたものが知られている。
【０００３】
このような構成のメガネフレームのフロント部（両リム及びブリッジからなる部分）の裏面側には、一対の鼻当て用のノーズパッドが設けられており、メガネフレームを顔に装着したときに、一対のノーズパッドを鼻の両側面に当接させ、両テンプルを両耳に掛けることにより、メガネフレームを顔の所定の位置に保持することができる。
【０００４】
ところで、上記のような構成のメガネフレームにあっては、樹脂製のものの場合には、フロント部の各リムの内縁部にノーズパッドが接着等によって一体に接合されているため、ノーズパッドの取付け位置、ノーズパッド間の間隔、取付け角度等が製造の段階で設定されてしまう。このため、顧客が購入する際に、顧客の鼻の形状、大きさ、位置等によってノーズパッドの取付け位置、間隔、取付け角度等を設定したり、調整したりすることができず、鼻の形状、大きさ、位置等の異なる多くの人々に良好な装着感を提供することができない（特許文献１参照。）。
【特許文献１】特開２０００−２９２６０６号公報
【発明の開示】
【発明が解決しようとする課題】
【０００５】
本発明は、上記のような従来の問題を解決したものであって、顧客の鼻の形状、大きさ、位置等に応じて、ノーズパッドの取付け位置、間隔、取付け角度等を設定、微調整することができ、これにより、鼻の形状、大きさ、位置等の異なる多くの人々に良好な装着感を与えることができるノーズパッド組立て体及びメガネフレームを提供することを目的とするものである。
【課題を解決するための手段】
【０００６】
上記のような課題を解決するために、本発明の請求項１に係るノーズパッド組立て体は、メガネフレームのフロント部に取り付けられるノーズパッド組立て体であって、支持台と、該支持台に一体に設けられる弾性変形可能な素材からなるパッド足と、該パッド足の先端部に取り付けられるノーズパッドとを備え、前記支持台の一部を前記フロント部の裏面側に接合手段によって一体に接合するように構成した手段を採用している。
【０００７】
また、本発明の請求項２に係るノーズパッド組立て体は、請求項１に記載のノーズパッド組立て体であって、前記パッド足は、弾性変形可能な金属からなるものであって、一部が前記支持台に一体に連結された状態で前記支持台から一対引き出され、引き出された部分の先端部に前記ノーズパッドが取り付けられるように構成されている手段を採用している。
【０００８】
さらに、本発明の請求項３に係るノーズパッド組立て体は、請求項１又は２に記載のノーズパッド組立て体であって、前記接合手段は、接着剤、熱融着、溶接である手段を採用している。
【０００９】
さらに、本発明の請求項４に係るメガネフレームは、請求項１〜３の何れかに記載のノーズパッド組立て体をフロント部の裏面側に一体に接合してなる手段を採用している。
【発明の効果】
【００１０】
本発明は、前記のように構成したことにより、ノーズパッドの取付け位置、ノーズパッド間の間隔、ノーズパッドの取付け角度等の設定、調整が可能となる。従って、顧客の鼻の形状、大きさ、位置等に応じて、ノーズパッドの位置、ノーズパッド間の間隔、ノーズパッドの取付け角度等を設定、調整することができるので、鼻の形状、大きさ、位置等の異なる多くの人々に対して良好な装着感を提供することができる。
【発明を実施するための最良の形態】
【００１１】
以下、図面に示す本発明の実施の形態について説明する。
図１及び図２には、本発明によるノーズパッド組立て体及びメガネフレームの一実施の形態が示されていて、図１は全体を示す斜視図、図２は図１の部分拡大図である。
【００１２】
すなわち、このノーズパッド組立て体１は、後述するメガネフレーム２０のフロント部２６に取り付けられる支持台２と、支持台２に一体に設けられるパッド足１０と、パッド足１０に取り付けられるノーズパッド１５とを備えている。
【００１３】
支持台２は、周面が内方に湾曲する３つの曲面３によって形成された略三角形板状をなすものであって、隣接する曲面３、３間に位置する各頂部（第１頂部４、第２頂部５及び第３頂部６）の先端はそれぞれ面取りされて略平面に形成されている。
【００１４】
支持台２の第１頂部４は、後述するメガネフレーム２０のフロント部２６に取り付けるための取付け部に形成され、第２頂部５及び第３頂部６はパッド足１０を支持するための支持部に形成され、第２頂部５と第３頂部６との間の曲面３に沿ってパッド足１０が一体に設けられている。
【００１５】
支持台２は、メガネフレーム２０のフロント部２６の素材に応じた材質で形成され、例えば、フロント部２６を合成樹脂で形成した場合には合成樹脂で形成され、フロント部２６を金属で形成した場合には金属で形成される。この実施の形態においては、フロント部２６を合成樹脂で形成しているので支持台２は合成樹脂から形成されている。支持台２を構成する合成樹脂、金属の種類は特に制限されるものではなく、周知の各種の合成樹脂、金属を用いることができる。なお、支持台２は、上記の形状に限らず、他の周知の形状であっても良い。
【００１６】
パッド足１０は、弾性変形可能な金属製の線材１１を素材として形成されるものであって、線材１１の長手方向の中央部を、支持台２の第２頂部５と第３頂部６との間に曲面３に沿って埋設し、線材１１の一方の端部を第２頂部５から引き出して、下方に所定の形状に湾曲させてその部分をパッド足１０とし、線材１１の他方の端部を第３頂部６から引き出して、下方に所定の形状に湾曲させてその部分をパッド足１０としている。
【００１７】
各パッド足１０の先端部は上方に折り返されて、その部分が上方が開口するばね力を有する略Ｕ形状のノーズパッド取付け部１２に形成され、このノーズパッド取付け部１２に後述するノーズパッド１５のパッド芯１７を嵌合させることにより、ノーズパッド１５がパッド足１０に取り付けられる。
【００１８】
ノーズパッド取付け部１２は、上記のような略Ｕ形状のものに限らず、図示はしないが、箱型状のパッド箱をパッド足の先端部に一体に設けても良い。この場合には、パッド箱にノーズパッド側のパッド芯をねじによって取り付ければ良い。
【００１９】
ノーズパッド１５は、シリコン樹脂等の合成樹脂から形成されるものであって、図２に示すように、楕円形板状のパッド本体１６と、パッド本体１６の裏面中央部に一体に設けられる長円柱状のパッド芯１７とから構成されている。
【００２０】
パッド芯１７の根元部には、所定の幅、深さの溝１８が全周に渡って設けられ、この溝１８内にパッド足１０のノーズパッド取付け部１２を嵌合させることにより、ノーズパッド１５がパッド足１０に取り付けられる。
【００２１】
ノーズパッド１５は、上記の形状のものに制限されるものではなく、円形板状のもの、一端部が他端部よりも幅広の楕円形板状のもの等、周知の各種の形状のものを使用することができる。
【００２２】
本発明によるメガネフレーム２０は、図１に示すように、一対の環状のリム２１、２１と、両リム２１、２１の内縁部間を連結するブリッジ２２と、各リム２１の外縁部に一体に設けられるヨロイ２３と、各ヨロイ２３に蝶番２４を介して回動自在に連結されるテンプル２５とを備えており、一対のリム２１、２１、ブリッジ２２及びヨロイ２３、２３によってフロント部２６が構成され、フロント部２６のブリッジ２２の裏面側に本発明によるノーズパッド組立て体１が一体に取り付けられている。
【００２３】
メガネフレーム２０のリム２１、２１、ブリッジ２２、ヨロイ２３、２３及びテンプル２５、２５は、金属、合成樹脂、又は金属と合成樹脂との組合せによって形成される。この実施の形態においては、リム２１、２１、ブリッジ２２、ヨロイ２３、２３及びテンプル２５、２５を合成樹脂で形成している。
【００２４】
ノーズパッド組立て体１は、上記のような構成のフロント部２６のブリッジ２２の裏面側の中央部に、支持台２の第１頂部４（取付け部）を接着剤、熱融着等の接合手段３０によって一体に接合することにより、フロント部２６に一体に取り付けられる。
【００２５】
接合手段３０は、フロント部２６の材質に応じたものが使用され、この実施の形態においては、フロント部２６を合成樹脂で形成しているので接着剤、熱融着等が使用される。フロント部２６を金属で形成し、ノーズパッド組立て体１の支持台２を金属で形成した場合には、溶接等によって支持台２をフロント部２６の裏面側に接合すれば良い。
【００２６】
そして、上記のようにして、ノーズパッド組立て体１をフロント部２６に取り付けることにより、本発明によるメガネフレーム２０が構成され、このように構成したメガネフレーム２０の各リム２１の内側にレンズ（図示せず）を取り付けることにより、メガネを構成することができる。
【００２７】
上記のように構成したこの実施の形態によるノーズパッド組立て体１及びメガネフレーム２０にあっては、支持台２をフロント部２６の裏面側に接合手段３０によって接合することにより、ノーズパッド組立て体１をフロント部２６に取り付けるように構成したので、ノーズパッド組立て体１のフロント部２６への取付けが容易になる。また、使用する人の鼻の形状、大きさ、位置等に応じてノーズパッド組立て体１の取付け位置、すなわちノーズパッド１５、１５の位置を設定できるので、鼻の形状、大きさ、位置等の異なる多くの人々に良好な装着感を提供することができる。
【００２８】
さらに、パッド足１０は、弾性変形可能な金属製の線材１１から形成されているので、使用する人の鼻の形状、大きさ、位置等に応じてパッド足１０を所定の形状、角度に屈曲させることにより、ノーズパッド１５、１５の位置、ノーズパッド１５、１５間の間隔、ノーズパッド１５、１５の角度等を調整することができる。従って、鼻の形状、大きさ、位置等の異なる多くの人々に対応させることが可能となるので、多くの人々に良好な装着感を提供することができる。
【図面の簡単な説明】
【００２９】
【図１】本発明によるノーズパッド組立て体及びメガネフレームの一実施の形態を示した斜視図である。
【図２】図１の部分拡大図である。
【符号の説明】
【００３０】
１  ノーズパッド組立て体
２  支持台
３  曲面
４  第１頂部（取付け部）
５  第２頂部（支持部）
６  第３頂部（支持部）
１０  パッド足
１１  線材
１２  ノーズパッド取付け部
１５  ノーズパッド
１６  パッド本体
１７  パッド芯
１８  溝
２０  メガネフレーム
２１  リム
２２  ブリッジ
２３  ヨロイ
２４  蝶番
２５  テンプル
２６  フロント部
３０  接合手段
【図１】
2006113252.tif 000003
【図２】
2006113252.tif 000004